(57)【特許請求の範囲】
【請求項１】
複数枚の可撓性シートが密着して積層された積層体の内部に検体が保持される第１の空隙部、該第１の空隙部に連通した複数の第２の空隙部及び該第２の空隙部に連通し試薬を保持し前記検体との化学反応を行う第３の空隙部を有し、該第３の空隙部が設けられている側の表面に前記シート面に沿って回転させる軸となる固定部材が設けられていることを特徴とするシート型マイクロリアクタ。
【請求項２】
請求項１において、前記積層体内部にＩＣチップが設けられていることを特徴とするシート型マイクロリアクタ。
【請求項３】
請求項１又は２において、前記シートが熱融着樹脂シートであり、熱融着されていることを特徴とするシート型マイクロリアクタ。
【請求項４】
請求項１〜３のいずれかにおいて、前記シートが透明であることを特徴とするシート型マイクロリアクタ。
【請求項５】
請求項１〜４のいずれかにおいて、前記第２の空隙部から前記第１の空隙部への前記化学反応した液の流入、及び前記第３の空隙部から前記第２の空隙部への前記化学反応した液の流入を防止するシート弁が前記第２の空隙部に設けられていることを特徴とするシート型マイクロリアクタ。
【請求項６】
請求項１〜５のいずれかに記載のシート型マイクロリアクタと、該マイクロリアクタを前記シート面に沿って前記固定部材を軸として回転させ前記検体に遠心力を与える回転駆動手段と、前記遠心分離した前記検体を前記第２の空隙部から前記第３の空隙部にかけて移動させる前記移動手段と、前記分離された検体と前記試薬との反応物に光を照射する発光素子と、前記反応物から出た光を受光する光検出器とを有することを特徴とするモバイル型化学分析装置。
【請求項７】
請求項６において、前記移動手段が、前記遠心分離した前記検体を前記第２の空隙部から前記第３の空隙部にかけて移動させるスライドバーと、該スライドバーを駆動するスライドバー駆動装置とを有することを特徴とするモバイル型化学分析装置。
【請求項８】
請求項６において、前記移動手段が、前記遠心分離した前記検体を前記第２の空隙部から第３の空隙部にかけて移動させる電磁誘導装置であることを特徴とするモバイル型化学分析装置。
【請求項９】
請求項６〜８のいずれかにおいて、前記回転駆動手段、スライドバー駆動装置、発光素子及び光検出器を制御する制御回路基板と、これらの電源となるバッテリとを有することを特徴とするモバイル型化学分析装置。
【発明の詳細な説明】
【０００１】
【発明の属する技術分野】
本発明は、微小な領域において、化学的、生物学的、生化学的あるいは物理学的な状態の変化を生じさせる新規なシート型マイクロリアクタ及びそれを用いたモバイル型化学分析装置に関し、例えば、カップリング反応、有機金属反応、触媒合成反応、電解合成反応、酸アルカリ分解、電気分解、血液検査、感染症診断、遺伝子診断、遺伝子解析、遺伝子合成、メカノフュージョンなどを行うために使用するシート型マイクロリアクタ及びバック等に入れて持ち運びが出来、収納性が良いモバイル型化学分析装置に関する。
【０００２】
【従来の技術】
化学反応や生化学反応を少ない反応液や検体でより効率良く実施するために、反応容器を微小にするコンセプトが提案され、大学、企業などの研究機関で研究および開発されている。前記の微少な反応容器と、同じくして小型化したその周辺機器、すなわち反応容器に取り付けられる液送装置や加熱装置、温度センサーや流量センサー、分光装置などを含めてマイクロリアクタと呼ばれている。マイクロリアクタを構成する方法として主流となっているものが、シリコンのウェットエッチング法により、流路や反応槽、さらには送液用のポンプまでも形成するマイクロマシニングである。
【０００３】
最近では、さらに微細な構造を形成するためにリアクティブイオンエッチングなどのドライプロセスの使用も増加している。一方、シリコン以外のマイクロリアクタ用の材質としては、ガラス、樹脂、金属など様々な材料に関して研究されているが、医療に関係する生化学反応などは個々の検体のコンタミネーションを防ぐためにもディスポーザブルの方が都合よい。そのため量産性が良く、安価な樹脂を素材とするマイクロリアクタの開発も増加している。
【０００４】
シリコンの異方性エッチングを使用したマイクロリアクタアーとしては、特開平１０−３３７１７３公報に記載されている。また、光造形ファブリケーションを利用して光造形樹脂の微小立体構造の作成方法が特開平７−３２９１８８公報に記載されている。また、特表２０００−５１５６３０公報には、ベースユニット、アダプタおよび基板を備え、アダプタはベースユニット上の取り付け領域に取り付けられ、基板はアダプタ上の取り付け領域に取り付けられ、アダプタによってベースユニットは非常に様々な異なる基板とインターフェイスをとることが可能になり、それによって化学的および生化学的分析および調整手順を行うことが可能になる分析システムについて記載されている。
【０００５】
【発明が解決しようとする課題】
上記のマイクロリアクタや分析システムに関して解決しなければならない以下の３つの課題がある。
【０００６】
（１）マイクロリアクタや分析システムの用途が生化学分析などを対象としている場合で、ディスポーザブルの方が都合良く、消費数量も多数量に及ぶ場合などでは、反応に不必要なバルク部分は極力省略して、より省スペースにし、なおかつ取り扱いし易く、コストが安いことである。上記のシリコン製マイクロリアクタでは、加工素材のシリコンウエハの大きさ等にもよるが、コスト低減には限界がある。また、シリコンは脆性材料であるため、省スペース化するために薄型にすればするほど割れ易くなり、取り扱いが困難になる。また、樹脂成形の場合は、成形の方法にもよるが、大量生産性の高い射出成形などでは、溶融樹脂を流すためにある程度の隙間が必要なことから、薄型にするには限界がある。
【０００７】
（２）マイクロリアクタや分析システムの用途が、強酸や強アルカリなどを扱う場合で、さらに発熱を伴う場合などでは、素材に耐酸性、耐アルカリ性、耐熱性が要求される。シリコンマイクロリアクタでは、特に強アルカリに対して弱いため、そのままでは使用困難であり、耐アルカリ性の金や白金コーティングなどを施す必要があるが、微細な流路にコーティングを施すには多くの技術課題がある。
【０００８】
（３）大量生産による生産性の向上とコスト低減が重要となるマイクロリアクタや分析システムの場合で、例えば、毎朝、毎晩自宅で検査し、なおかつディスポーザブルが良い在宅健康検査や、食品の鮮度や安全性を検査するような場合などでは、生産コストを下げることが重要になる。射出成形を利用した樹脂製マイクロリアクタなどは、シリコン製マイクロリアクタよりも安価に生産出来るが、射出成形においても金型の製作費が高かったり、排気装置や油圧装置など大掛かりとなる。そのため、設備費、メンテナンス費、維持費等を易くする必要がある。
【０００９】
特開平１０−３３７１７３公報に記載のマイクロリアクタをディスポーザブルが主体となる医療分野に適用するには、生産性とコストの低減が必要となるが、シリコンのマイクロマシニングでは、素材費の低減に限界がある。また、特開平７−３２９１８８公報に記載の光造形ファブリケーション法では、製作前後で光硬化性樹脂の出し入れを必要とし、さらに、製造品の洗浄などの工程が必要であるため、これらの工程を削除し、生産性を高めることは課題である。また、特表２０００―５１５６３０公報に記載の分析システムはコンパクトではあるが、収納性に乏しく、携帯して持ち運ぶには適していない。
【００１０】
本発明の目的は、省スペースで、高い生産性を有し、かつ簡便に血液検査、化学反応を実施することが可能なシート型マイクロリアクタとそれを用いたモバイル型化学検査装置を提供することにある。
【００１１】
【課題を解決するための手段】
本発明は、複数枚の可撓性シートが重なって密着され、重ね合わされた積層体の内部に、液体または気体が通過または保持される非密着部を有し、検体を注入するための非接触部となる第１の空隙部と、試薬が通過する流路となる複数の非密着部となる第２の空隙部と、試薬を保持し化学反応させるための複数の非密着部となる第３の空隙部を有し、該第３の空隙部が設けられている側の表面に前記シート面に沿って回転させる軸となる固定部材が設けられているシート型マイクロリアクタにある。
【００１２】
本発明は、前記シート型リアクタにＩＣチップが装着されていること、シートが熱融着樹脂シートであり熱融着によって一体に接合されていること、前記第２の空隙部から前記第１の空隙部への流入、及び前記第３の空隙部から前記第２の空隙部への流入を防止するシート弁が前記第２の空隙部に設けられていることが好ましい。
【００１３】
更に、本発明は、前述に記載のシート型マイクロリアクタと、該マイクロリアクタを前記シート面に沿って前記検体に遠心力を与える回転を行う回転駆動手段と、前記遠心分離した前記検体を前記第２の空隙部から第３の空隙部にかけて移動させる移動手段と、前記分離された検体と試薬との反応物に光を照射する発光素子と、前記反応物から出た光を受光する光検出器とを有することを特徴とするモバイル型化学分析装置にある。
【００１４】
前記移動手段が、前記遠心分離した前記検体を前記第２の空隙部から第３の空隙部にかけて移動させるスライドバーと、該スライドバーを駆動するスライドバー駆動装置とを有すること、又、前記移動手段が、前記遠心分離した前記検体を前記第２の空隙部から第３の空隙部にかけて移動させる電磁誘導装置であることが好ましい。
【００１５】
又、本発明は、前記回転駆動手段、スライドバー駆動装置、発光素子及び光検出器制御する制御回路基板と、これらの電源となるバッテリとを有することが好ましい。
【００１６】
【発明の実施の形態】
図１は、本発明のモバイル型化学分析装置に使用するシート型マイクロリアクタの斜視図である。このシート型マイクロリアクタ１は、シート１aとシート１bとが張り合わされた構造で、シート１aとシート1bとの接触面に張り合わされず、間隙となりうる部分が残されている。この間隙に検体を注入し、血液や薬品などの検査に供する。シートの材質は、軟質プラスチックや樹脂などで、フレキシブルであれる。シート型マイクロリアクタ１の表面には、検査データの保存、基準データや個人データ読み出しのためのＩＣチップ２が搭載される。また、シート型マイクロリアクタ１にはそれを回転させる軸となる固定板３が取り付けられる。シート型マイクロリアクタ１の回転は、検体注入室４aに注入された検体に対して遠心力を与え、検体を遠心分離させるものである。
【００１７】
図２は、図１のシート型マイクロリアクタ１のシート１aとシート１bとを分解した様子を示す斜視図である。シート１aとシート１bとの密着面となる、張り合わされていない部分を示しており、検体注入室４aとなる第１の空隙部、流路４bとなる第２の空隙部、反応槽兼試薬入れ４cとなる第３の空隙部からなる。検体中入室４a、流路４bおよび反応槽兼試薬入れ４cは連結する。シートは、検体の流れや様子が観察されるので、全体が透明の方が良いが、不透明のものを使用するときは、少なくとも、反応槽兼試薬入れ４c部分は、光学検査を行うため透明品を張り合わせる。反応槽兼試薬入れ４cには、予め、検査のための試薬を入れて保持させておく。
【００１８】
図３は、図１に示す本発明におけるシート型マイクロリアクタ１の断面A-A、B-B、C-C、D-Dを示す。シート１aとシート１bとの間の間隙は、検体注入室４a、流路４bおよび反応槽兼試薬入れ４cである。
【００１９】
検体の注入方法は、小型シリンジ23の注射針を検体注入室4aに突き刺すことにより行う。シート型マイクロリアクタのシート材質が柔軟な場合は、注入後に注射針を引き抜いても孔が閉塞し検体が漏れ出さない。又、シート材質が柔軟で無い場合は、検体注入室部分に乗軟な別材質を予め張り合わせておく。従って、注入口を特別に設ける必要はない。
【００２０】
試薬の注入方法は、2種類の構成が有り、一つは検体の注入方法と同様で、シリンジなどで注射針を使って、反応槽兼試薬入れ4cに事前に入れておく。もう一つの方法は、反応槽兼試薬入れ4cに、張り合わせたシートの側面に向かってシート外部と連通する流路を設けておき、その流路から試薬を、例えぱシリンジポンプなどで注入し、注入後に前記流賂を融着して、反応槽兼試薬入れ4cを閉塞する方法である。この場合は、注入口を設けておき、注入後に熱融着で消滅させる。
【００２１】
リアクタの繰り返し利用については、検体注入及び試薬と検体との反応は１度だけであるが、反応完了後の光学検査は、何度でも出来る構成になっている。また、ＩCチップにデータを記録できるため、検査結果のサンプルとデータを同時に保存できる。検査後に、単に捨ててしまうのではなく、保管、収納しておき、必要になれぱＩCチップからデータを取り出すことが出来る。被検者の疾患回復状況が悪く、治療前に溯って再検査をしたり、学術的な原因追求で色々な検査をするために、既に検査が完了し保管されていたシート状マイクロリアクタから検査後の検体を注射器などで抽出したり、場合によっては、リアクタを破壊して検体を取り出し、再検査や研究に利用することが出来る。
【００２２】
図４は、前述のシート型マイクロリアクタ１を用いた実施例であるモバイル型化学分析装置の斜視図であり、上ベース６と下ベース５とを分解した図である。ただし、サイドカバーは省略する。本発明におけるモバイル型化学分析装置とは、前記シート型マイクロリアクタ１、上ベース６および下ベース５とを合わせたセットから成る。下ベース５には、シート型マイクロリアクタ１を乗せて、この上で回転させるプレート７がある。シート型マイクロリアクタ１を回転させるための回転軸８は、図４では下ベース５側に見られるが、この構成では、シート型マイクロリアクタ１に穴を開けなければならないため、実際には、上ベース側に取り付ける。ただし、回転軸８の構成はどちらでもかまわない。上ベース６には、検体注入穴１０が設けられ、この穴から小型シリンジにて検体または非検査物をシート型マイクロリアクタ１に注入する。上ベース６には、検体注入孔１０の蓋９もある。上ベース６と下ベース５には結合して一体化するためのコネクタ１１aおよび１１b、１２aおよび１２bが設けられる。また、下ベース５には、携帯電話や送受信設備と接続するためのソケット１３とコンピュータやデータ記憶装置等と接続するためのコネクタ１４が側面に設けられる。図４中に記した矢印は、シート型マイクロリアクタ１が回転する様子を示すものである。例えば血液検査の場合は、遠心分離により、血液が血漿と血球に分離される。
【００２３】
図５は、前記の血液の遠心分離後の本発明におけるシート型マイクロリアクタ１の斜視図である。シート型マイクロリアクタ１は検体注入室４aと反対側にある固定板３を中心に回転する。そのため、検体注入室４aの血液は、血球３０と血漿３１に液相分離される。血球３０と血漿３１との間に隔壁を設けて完全に分離するために加熱したスライドバー１５を上から押し当て、シート１aとシート１bとを熱融着する。スライドバー１５の加熱温度は、シートの材質によるが、１００℃〜３００℃程度とする。３００℃以上の温度になると、検体成分が変質する。また１００℃以下では、熱融着が十分に起こらない。熱融着時間は、検体への影響を少なくするため短い方がよく、１秒を目安とする。
【００２４】
図６は、スライドバー１５により、血球３０と血漿３１とを分離する動作を示した断面図と斜視図である。図６（a）でスライドバー１５がシート型マイクロリアクタ１に押し付けられて熱融着し、血球３０と血漿３１が分離される。その後、スライドバー１５は、短時間で冷やされる。図６（b）では、血漿３１を流路４bを通して、反応槽兼試薬入れ４cに送るためにスライドバー１５が反応槽兼試薬入れ４c側に移動している様子を示している。スライドバー１５は、しごくように血漿３１を移動させる。
【００２５】
図７は、前記スライドバー１５が移動して、血漿３１を移動させる本発明のモバイル型化学反応装置全体図である。サイドカバーは省略してある。上ベース６には、スライドバー駆動装置１６、シート型マイクロリアクタ１を回転軸８で押し付けるための加圧機１８、血液反応後の光学検査用の発光素子１７a、検体注入用で小型シリンジを挿入する孔２２が設けられる。下ベース５には、光学検査用の受光素子１７ｂ、バッテリ１９、遠心分離のためにシート型マイクロリアクタ１を回転させる駆動部２０、制御用の回路基板２１が設けられる。バッテリ１９は交換及び充電可能である。
【００２６】
図８は、本発明におけるモバイル型化学検査装置の使用行程の一部を説明する断面図である。はじめ、上ベース６と下ベース５とは分割されている。下ベース５に、シート型マイクロリアクタ１を置き、上ベース６を下ベース５に組み合わせる。この時、回転軸８がシート型マイクロリアクタ１の固定板３に付き当てられて固定される。次に図８（b）に示すように、検体や非検査液を採取した小型シリンジ２３を孔２２に挿入し、検体をシート型マイクロリアクタ１に注入する。マイクロシリンジの針先端とシート型マイクロリアクタ１の検体注入室４aとの位置合わせは、上ベース６とマイクロシリンジ本体下部で行うよう加工する。その後、シート型マイクロリアクタ１を回転させ遠心分離を行い、遠心分離後は、図７に示すようにシート型マイクロリアクタ１がスライドバー１５側に配置され、前記図６及び図７で説明したスライドバー１５の行程に移る。
また、図８で上ベース６と下ベース５とが連結される時には、それぞれのコネクタ１２aと１２bに設けられた電気接点２５aと２５bとが接触し下ベース５の電源を上ベース６側に供給する。
【００２７】
図９は、遠心分離してスライドバー１５により移動させた血漿や反応槽兼試薬入れ４cで反応した液が流路４bに逆流しないようにシート弁２４a、２４bを設けていることを示す斜視図及び断面図である。逆流は、シート弁が図９（c）の状態となって、防止する。通常流れのシート弁は図９（d）に示した状態となる。
【００２８】
図１０及び図１１は、シート型マイクロリアクタ１の製作方法の一例を示す各部品の斜視図で、簡単な流路とリアクタからなる構造の場合を示す。図１０は、製作に必要な治具やシートを示す。各シートは、樹脂からなり、熱融着又は、予め接着剤をシートにパターンニングしておいて熱接着可能な材質とする。台座４４の上に断熱シート４３を置き、その上に流路ロッド４２a、４２c、４２dとリアクタ板４２bを置く。流路ロッド４２a、４２c、４２dは、液体が通る流路の型となり、リアクタ板４２bは、検体注入室４aや反応槽兼試薬入れ４cの型となる。さらにその上にシート４１a、４１bを２枚重ねて置き、その上から加熱押し付け型４０a、４０b、４０cで押し付け、シート４１a、４１bを融着させる。図１１に融着前のセット状態を示す。流路ロッド４２a、４２c、４２dとリアクタ板４２bの部分は、加熱されないので、融着しない。また、断熱シート４３を敷くことにより、加熱押し付け型４０a、４０b、４０cからの熱の逃げを少なくする。なお、逆流防止用のシート弁２４a、２４bは、片面の半分ずつが融着しないように予めフッ素等軟化温度の高い樹脂を複合またはコーティングしたものを使う。
【００２９】
図１２は、図１０及び図１１に示した方法で製作したシートで、流路とリアクタ部分が突出している。シートを横から見ると図１２（b）のような形状である。この流路に液体または気体が流れた場合には、２枚のシート間に間隙ができる。この間隙となる空間は、流路ロッド４２a、４２c、４２dやリアクタ板４２bの部分がシートから飛び出すことによって形成される。
【００３０】
図１３は、シート型マイクロしアクタを熱融着によって接合する製作方法を示す斜視図である。熱融着部分をレーザ照射により作成する。図１３にレーザ照射機４５、集光レンズ４６、レーザ光４７を示す。レーザ照射を使うことにより、流路を微細化することが可能となり、高密度の検査シートで検査数を増やすことができる。また、加熱押し付け型が必要なくなるため、製作装置も簡素となる。
【００３１】
図１４は、その他のシート型マイクロしアクタの他の製作方法を示す図である。六角柱の加熱押し付け型４８を組み合わせることにより、流路の構成を簡単に変更することができる。図１４（b）は流入口６０が２個所、流出口１個所、リアクタ１個所の流体回路となる。また、図１４（c）も（b）と同様であるが、流れ方が異なる。このように六角柱の加熱押し付け型４８を組み合わせを換えれば、流入３個所や、リアクタ３個所等いろいろな組み合わせができ、複雑な反応系にも対応し易くなる。
【００３２】
図１５は、スライドバー１５を使わずにリアクタ部や検体注入室から検体や非検査液を搬送する他の手段による方法を示す斜視図及び断面図である。リアクタ部や検体注入室の上下に電磁コイル４９a、４９bと配線５０を搭載し、電磁誘導で吸引力や反発力を利用して、リアクタや検体注入室の容積を変化させて液体を移動させる。吸引、反発を連続的に繰り返し行えばポンプとして使用することができる。
【００３３】
本発明のモバイル型化学検査装置で取り扱う検体の量は、１０マイクロリットル〜３００マイクロリットルと微量である。装置の大きさは縦横１０センチメートル以下高さ３センチメートル以下が好適である。シート型マイクロリアクタの大きさは縦横３センチメートル以下であることが好ましい。
【００３４】
本発明のモバイル型化学検査装置のシステムとしては、シート型マイクロリアクタに搭載されたICチップに検査結果、参照用基礎データ、これまでの個人検査データなどが記録、再生、さらに追加できるようになっており、検体とともにシートを保管することによって、ファイルとしての役割を持つ。モバイル型検査装置は、携帯電話や通信機器と接続できるため、検査結果を集中管理センタに送り、全国データと比較参照が可能であるとともに、逐次医師が検査結果を監視することができる。また、コンピュータとの接続が可能であるため、自分でデータを参照することができる。
【００３５】
本発明のモバイル型化学検査装置のメリットは、検体や試薬が微量で良く、そのため多種に及ぶ反応や検査が可能である。シートであるため容器が不要である。ディスポーザブルであるため、検体間の汚染がない。また、シート型マイクロリアクタそのものがファイルとなるため廃棄物が少ない。
【００３６】
本発明のモバイル型化学検査装置の用途としては、救急車に備え付けて、急病人の搬送中に検査する。小さい診療所に備え付けて、検査センタに出す検査コスト、検査時間を削減する。医師が緊急や通常の往診時に持ち歩いて、現場で検査する。在宅医療用として、家庭で検査してデータを蓄積するとともに、通信で医師に診断してもらい、通院せずに済む。例えば食事療法の効果確認や投薬中の薬の血中濃度確認等。飛行機や長距離列車、船、宇宙船等に備え付けて緊急時対応する。
【００３７】
本発明のモバイル型化学検査装置用のシート型マイクロリアクタは、シート状であるのでかさ張らず、収納性が良い。
本発明のシート型マイクロリアクタにおいて上記では、シート２枚の構成としたが、３枚以上を重ね合わせて立体流路として活用することができる。
【００３８】
【発明の効果】
上述のように、本発明のモバイル型化学検査装置によって、省スペースで、高い生産性を有し、かつ簡便に血液検査、化学反応を実施することが可能となるシート型マイクロリアクタ及びそれを用いたモバイル型化学検査装置を提供することが出来る。そのため、緊急現場や、航空機や船等での移動時でも検査や分析が出来、在宅医療において活用でき、又、ICチップや携帯電話接続用コネクタを備えているため、データの管理や整理、照合などが短時間で実施できる。更に、シート型マイクロリアクタ自体を検体ファイルとして保存することにより、個人情報としての管理がし易くなる。
【図面の簡単な説明】
【図１】  本発明のモバイル型化学検査装置用シート型マイクロリアタの斜視図。
【図２】  本発明のモバイル型化学検査装置用シート型マイクロリアクタの分解斜視図。
【図３】  シート型マイクロリアクタの断面図。
【図４】  本発明のモバイル型化学検査装置の分解斜視図。
【図５】  本発明のシート型マイクロリアクタ内の血液を遠心分離した後に血球と血漿との分離を説明する斜視図。
【図６】  本発明のシート型マイクロリアクタ内の血液を遠心分離した後に血球と血漿との分離を説明する断面図と斜視図。
【図７】  本発明のモバイル型化学検査装置にシート型マイクロリアクタを装着し、血漿の移動を説明する断面図。
【図８】  本発明のモバイル型化学検査装置にシート型マイクロリアクタを装着し、検体を注入する工程を説明する断面図。
【図９】  本発明のシート型マイクロリアクタに設けた逆流防止シート弁を説明する斜視図及び断面図。
【図１０】  本発明のシート型マイクロリアクタ製作に使うシート及び治具類を説明する分解図。
【図１１】  本発明のシート型マイクロアレイの製作方法を説明する分解斜視図。
【図１２】  本発明のシート型マイクロリアクタを説明する斜視図。
【図１３】   本発明の一実施例であるシート型マイクロリアクタの他の製作方法を説明する斜視図。
【図１４】  本発明のシート型マイクロリアクタのその他の製作方法を説明する図。
【図１５】  本発明の他のシート型マイクロリアクタの送液方法を説明する図。
【符号の説明】
１…シート型マイクロリアクタ、２…ＩＣチップ、３…固定板、４a…検体注入室、４b…流路、４c…反応槽兼試薬入れ、５…下ベース、６…上ベース、７…プレート、８…回転軸、１０…検体注入孔、１３、１４…ソケット、３０…血球、３１…血漿、１６…スライドバー駆動装置、１８…加圧機、１９…バッテリ、２０…駆動部、２１…回路基板、２３…小型シリンジ、２４…シート弁、２５…電気接点、４０…加圧押し付け型、４８…加圧押し付け型。
【図１】
0003746207.tif 000002
【図２】
0003746207.tif 000003
【図３】
0003746207.tif 000004
【図４】
0003746207.tif 000005
【図５】
0003746207.tif 000006
【図６】
0003746207.tif 000007
【図７】
0003746207.tif 000008
【図８】
0003746207.tif 000009
【図９】
0003746207.tif 000010
【図１０】
0003746207.tif 000011
【図１１】
0003746207.tif 000012
【図１２】
0003746207.tif 000013
【図１３】
0003746207.tif 000014
【図１４】
0003746207.tif 000015
【図１５】
0003746207.tif 000016